(57)【要約】【課題】折板屋根の上を効率よく太陽電池パネルを運搬することが可能な太陽電池パネル運搬装置及び太陽電池システム製造方法を提供する。【解決手段】太陽電池パネル運搬装置は、複数の太陽電池パネルを積載する荷台部と、折板屋根の隣接するハゼの間隔の自然数倍の間隔を有する複数の移動装置と、を備える。太陽電池パネル運搬装置は、ハゼに載置されて移動されるほか、ハゼに係止具を介して設置されるレールの上に載置されて移動される。太陽電池システム完成後は、太陽電池パネル運搬装置、レール、及び係止具は回収される。【選択図】図１
2012167469.tif 000002
【特許請求の範囲】
【請求項１】
複数の太陽電池パネルを積載する荷台部と、
前記荷台部の底部に設置され、折板屋根の隣接するハゼの間隔の自然数倍の間隔を有する複数の移動装置と、
を備える太陽電池パネル運搬装置。
【請求項２】
前記荷台部に設置され、前記移動装置を吊り上げるため吊り具をさらに備える請求項１記載の太陽電池パネル運搬装置。
【請求項３】
前記ハゼを挟持する挟持部と、前記挟持部を締め付ける締め付けボルトと、アンカーボルトと、を備える係止具と、
前記ハゼに前記係止具を介して係止され、前記移動装置の間隔と等しい間隔により前記アンカーボルトに締結される複数本のレールと、
をさらに備える請求項１記載の太陽電池パネル運搬装置。
【請求項４】
前記移動装置は、
前記荷台部に前記移動装置を取り付けるための取り付けプレートに前記移動装置間の間隔を調整する調整機構を有する請求項１記載の太陽電池パネル運搬装置。
【請求項５】
複数の太陽電池パネルを積載する荷台部と、折板屋根の隣接するハゼの間隔の自然数倍の間隔を有する複数の移動装置と、を備える太陽電池パネル運搬装置を前記折板屋根のハゼに載置する工程と、
前記太陽電池パネル運搬装置に前記太陽電池パネルを積載する工程と、
前記太陽電池パネルを積載した前記太陽電池パネル運搬装置を前記ハゼに沿って移動させる工程と、
前記太陽電池パネル運搬装置から前記太陽電池パネルを積み下ろして前記折板屋根に係止具を介して設置する工程と、
を含む太陽電池システム製造方法。
【請求項６】
前記折板屋根の前記ハゼに、前記ハゼを挟持する挟持部と、前記挟持部を締め付ける締め付けボルトと、アンカーボルトと、を備える係止具を介して前記移動装置の間隔と等しい間隔により前記アンカーボルトに締結される複数本のレールを敷設する工程と、
前記レールに前記太陽電池パネル運搬装置を載置する工程と、
前記太陽電池パネル運搬装置に前記太陽電池パネルを積載する工程と、
前記太陽電池パネルを積載した前記太陽電池パネル運搬装置を移動させる工程と、
をさらに含む請求項５記載の太陽電池システム製造方法。
【請求項７】
クレーンにより前記太陽電池パネル運搬装置を屋根上に移動させる工程をさらに含む請求項６記載の太陽電池システム製造方法。
【請求項８】
前記レールに、前記係止具をストッパとして設置する工程をさらに含む請求項６記載の太陽電池システム製造方法。
【発明の詳細な説明】
【技術分野】
【０００１】
本発明の実施形態は、太陽電池パネル運搬装置及び太陽電池システム製造方法に関する。
【背景技術】
【０００２】
近年の地球温暖化防止の意識の高まりから屋根に大規模太陽電池システムが建設されるようになっている。
【０００３】
この大規模太陽電池システムは広大な面積を有する屋根に太陽電池パネルを多数並べる必要がある。広大な面積を有する屋根は折板屋根が用いられることが多い。折板屋根は鉄板を折ることにより軽量でありながら強度を確保することが可能である。
【０００４】
しかし、陸屋根と異なり、折板屋根の上を太陽電池パネルを運搬することは足場が狭いため困難を伴う。すなわち、折板屋根は上方に突出する山部と、山部を挟む谷部と、を有する。山部には鉄板を連結するハゼがあり、足を乗せることができない。一方、谷部は狭く、また谷部に足を乗せて歩行すると山部に躓くことがある。
【０００５】
さらに、太陽電池メーカーから輸送されてくる太陽電池パネルはダンボールなどで梱包された上、木製パレットに積載されてくるのが一般的である。この梱包状態ではクレーンで吊ることができないため屋根上に移動する方法が問題となる。またこの状態で屋根上に載せた場合、屋根上で梱包材を開梱する作業が発生する。
【先行技術文献】
【特許文献】
【０００６】
【特許文献１】特開２０００−２０３６８４号公報
【発明の概要】
【発明が解決しようとする課題】
【０００７】
従って、折板屋根の上を効率よく屋根上に移動し、かつ太陽電池パネルを運搬することが可能な太陽電池パネル運搬装置及び太陽電池システム製造方法が求められている。
【課題を解決するための手段】
【０００８】
上記の課題を解決するために、本発明の一実施形態は複数の太陽電池パネルを積載する荷台部と、折板屋根の隣接するハゼの間隔の自然数倍の間隔を有する複数の移動装置と、荷台部に設置される吊り具と、を備える太陽電池パネル運搬装置を提供する。
【０００９】
また、本発明の一実施形態は複数の太陽電池パネルを積載する荷台部と、折板屋根の隣接するハゼの間隔の自然数倍の間隔を有する複数の移動装置と、を備える太陽電池パネル運搬装置をクレーンにより屋根上に移動する工程と、前記折板屋根のハゼに載置する工程と、太陽電池パネル運搬装置に太陽電池パネルを積載する工程と、太陽電池パネルを積載した太陽電池パネル運搬装置をハゼに沿って移動させる工程と、太陽電池パネル運搬装置から太陽電池パネルを積み下ろして折板屋根に係止具を介して設置する工程と、を含む太陽電池システム製造方法を提供する。
【図面の簡単な説明】
【００１０】
【図１】太陽電池パネル運搬装置を示す図である。
【図２】太陽電池パネル運搬装置がハゼに垂直に移動する場合の例を示す図である。
【図３】折板屋根に太陽電池パネルを設置する方法を示す図である。
【図４】レールに係止具を係止した様子を示す図である。
【図５】太陽電池パネル運搬装置の使用方法を示す図である。
【図６】完成した太陽電池システムを示す図である。
【発明を実施するための形態】
【００１１】
以下、本発明による太陽電池パネル運搬装置及び太陽電池システム製造方法の一実施形態について、図面を用いて詳細に説明する。
【００１２】
本実施形態の太陽電池パネル運搬装置は、複数の太陽電池パネルを積載する荷台部と、荷台部の底部に設置され、折板屋根の隣接するハゼの間隔の自然数倍の間隔を有する複数の移動装置と、を備える。
【００１３】
本実施形態の太陽電池システム製造方法は、複数の太陽電池パネルを積載する荷台部と、荷台部の底部に設置され、折板屋根の隣接するハゼの間隔の自然数倍の間隔を有する複数の移動装置と、を備える太陽電池パネル運搬装置を前記折板屋根のハゼに載置する工程と、太陽電池パネル運搬装置に太陽電池パネルを積載する工程と、太陽電池パネルを積載した太陽電池パネル運搬装置を移動させる工程と、太陽電池パネル運搬装置から太陽電池パネルを積み下ろして折板屋根に係止具を介して設置する工程と、を含む。
【００１４】
図１は、本実施形態の太陽電池パネル運搬装置１００を示す図である。図１（Ａ）に示すように、太陽電池パネル運搬装置１００は、太陽電池パネル２００を複数積載可能な荷台部１０１と、荷台部１０１の下方に設置され、荷台部１０１を折板屋根のハゼに沿って移動させる複数の移動装置１０２と、荷台部１０１に設置され、太陽電池パネル運搬装置１００を吊りあげるための吊り具１０１Ｂと、を備える。
【００１５】
荷台部１０１は、太陽電池パネル２００を一枚ずつ積載する積載ガイド１０１Ａを複数有する。積載ガイド１０１Ａは太陽電池パネル２００と接触する部分にカーペットのような緩衝部材を備えていてもよい。
【００１６】
図１（Ａ）には太陽電池パネル２００を横向きに積載する荷台部１０１が示されているが、荷台部１０１は太陽電池パネルを立てて積載するように構成することもできる。
【００１７】
移動装置１０２は、折板屋根３００の山部に設けられるハゼ３０１を跨ぐ滑車１０２Ｋを有する。太陽電池パネル運搬装置１００は移動装置１０２を、ハゼ３０１の長手方向と垂直な方向に隣接する二つの移動装置１０２の間隔がハゼ３０１の長手方向と垂直な方向に隣接するハゼ３０１との間隔の自然数倍になるように備える。
【００１８】
例えば、ハゼ３０１の長手方向と垂直な方向に隣接するハゼ３０１との間隔が３０ｃｍであるとき、ハゼ３０１の長手方向と垂直な方向に隣接する二つの移動装置１０２の間隔は３０ｃｍ、６０ｃｍ、または９０ｃｍなどから選択できる。
【００１９】
また、太陽電池パネル運搬装置１００は、ハゼ３０１の長手方向と垂直な方向に、２つ以上の移動装置１０２を備えることもできる。この場合も、太陽電池パネル運搬装置１００は移動装置１０２をハゼ３０１の長手方向と垂直な方向に隣接する移動装置１０２の間隔がハゼ３０１の長手方向と垂直な方向に隣接するハゼ３０１の間隔の自然数倍になるように備える。
【００２０】
ハゼ３０１の間隔は、屋根材の仕様により異なる場合がある。この場合、ハゼ３０１の長手方向と垂直な方向に隣接するハゼ３０１との間隔が異なる場合がある。この異なるハゼ３０１のピッチに対応するように、移動装置１０２は移動装置１０２間の間隔を調整する調整機構を有する。
【００２１】
すなわち、移動装置１０２の底面図である図１（Ｂ）に示すように、移動装置１０２は横に長いボルト穴１０２Ｈを、移動装置１０２を荷台部１０１に取り付ける取り付けプレート１０２Ｐに有する。移動装置１０２はナットを緩め、取り付けプレート１０２Ｐを移動させることにより、移動装置１０２間の間隔を調整する。
【００２２】
なお、滑車１０２Ｋの形状は問わない。図１（Ｃ）はハゼ３０１の片側から支持される滑車１０２Ｋの例を示す図である。左側の移動装置１０２Ａの左側滑車１０３Ａはハゼ３０１の右側からハゼ３０１に接し、右側の移動装置１０２Ｂの右側滑車１０３Ｂはハゼ３０１の左側からハゼ３０１に接するように設置される。
【００２３】
このように移動装置１０２を設置すると、走行中に太陽電池パネル運搬装置１００がハゼ３０１から脱輪することを防止できる。
【００２４】
吊り具１０１Ｂは例えば荷台部１０１の上面の四隅に設置される。吊り具１０１Ｂはクレーンなどにより吊り上げるときに、クレーンのフックにロープにより係止される。吊り具１０１Ｂは自重を支えるだけの強度を有する。
【００２５】
図２は、太陽電池パネル運搬装置１００がハゼ３０１に垂直に移動する場合の例を示す図である。図２（Ａ）に示すように、ハゼ３０１には係止具４０２が係止され、係止具４０２の締結具４０３によりレール４０１が係止される。
【００２６】
係止具４０２は、太陽電池パネル２００を折板屋根３００に係止する際に使用する、後述する係止具４０２を流用できる。
【００２７】
レール４０１は、Ｌ字鋼、Ｃ型鋼、Ｈ型鋼などを適宜選択して用いることができる。締結具４０３は、例えばアンカーボルトとナットを含む。レール４０１にはアンカーボルト挿通孔が鑽孔され、このアンカーボルト挿通孔にアンカーボルトが挿通されてナットにより係止具４０３に係止される。レール４０１と係止具４０３は取り外して回収、再利用が可能である。
【００２８】
図２（Ｂ）は、Ｌ字鋼をレール４０１に用いる場合の例を示す図である。２本のレール４０１の間隔は、移動装置１０２の間隔に等しい。滑車１０２ＫはＬ字鋼の縦板部に載置される。
【００２９】
図３は、折板屋根３０１に太陽電池パネル２００を設置する方法を示す図である。図３（Ａ）に示すように、折板屋根３００のハゼ３０１に係止具４０２が係止される。係止具４０２のアンカーボルトが太陽電池パネル２００のボルト挿通孔に挿通され、太陽電池パネル２００は締結具４０３により係止具４０２を介して折板屋根３００に締結される。
【００３０】
図３（Ｂ）は係止具４０２の平面図、図３（Ｃ）は係止具４０２の正面図、図３（Ｄ）は係止具４０２の右側面図である。図３（Ｂ）乃至（Ｄ）に示すように、係止具４０２は、互いにハゼ３０１を挟む第１の挟持部４０２Ａ及び第２の挟持部４０２Ｂと、アンカーボルト４０２Ｄと、ナット４０２Ｅにより第１の挟持部４０２Ａ及び第２の挟持部４０２Ｂを締め付ける締め付けボルト４０２Ｃと、を備える。
【００３１】
ナット４０２Ｅを締め付けると、第１の挟持部４０２Ａと第２の挟持部４０２Ｂの間隔が狭くなり、ハゼ３０１を挟持可能となる。
【００３２】
図４は、レール４０１に係止具４０２を係止した様子を示す図である。図４に示すように、係止具４０２はレール４０１の縦板部を挟持する。
【００３３】
図５は、太陽電池パネル運搬装置１００の使用方法を示す図である。図５に示すように、レール４０１が矢印Ｘに示すハゼ３０１の長手方向と垂直方向に２本設置される。
【００３４】
移動装置１０２が載置されるハゼ３０１の終端部と、レール４０１の両端部とには係止具４０２が脱輪防止のためのストッパとして設置される。
【００３５】
太陽電池パネル２００は、クレーンなどにより折板屋根３００の太陽電池パネル積載場所５００に積載される。太陽電池パネル運搬装置１００は、レール４０１上に１台、移動に使用するハゼ３０１の上に１台以上載置される。
【００３６】
レール４０１の上の太陽電池パネル運搬装置１００を太陽電池パネル積載場所５００に移動し、太陽電池パネル２００を積載する。
【００３７】
次に、太陽電池パネル運搬装置１００をハゼ３０１の上の太陽電池パネル運搬装置１００の位置まで移動させる。
【００３８】
そして、太陽電池パネル２００をハゼ３０１の上の太陽電池パネル運搬装置１００に積み替える。
【００３９】
さらに、ハゼ３０１の上の太陽電池パネル運搬装置１００を太陽電池パネル２００の設置場所付近まで移動させ、一枚ずつ積み下ろして折板屋根３００の係止具４０２に係止する。
【００４０】
図６は、完成した太陽電池システムを示す図である。図６に示すように、太陽電池パネル２００は隙間なく敷き詰められ、レール４０１、レール４０１を係止した係止具４０２、及び太陽電池パネル運搬装置１００は回収される。
【００４１】
以上のべたように、本実施形態の太陽電池パネル運搬装置１００は、複数の太陽電池パネル２００を積載する荷台部１０１と、折板屋根３００の隣接するハゼ３０１の間隔の自然数倍の間隔を有する複数の移動装置１０２と、荷台部１０１に設置される吊り具１０１Ｂと、を備える。
【００４２】
したがって、折板屋根３００の上を効率よく太陽電池パネル２００を運搬することが可能となり、太陽電池システムを迅速かつ安全に製造できるという効果がある。
【００４３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４４】
１００：太陽電池パネル運搬装置、
１０１：荷台部、
１０２：移動装置、
２００：太陽電池パネル、
３０１：ハゼ、
４０１：レール、
４０２：係止具。
【図１】
2012167469.tif 000003
【図２】
2012167469.tif 000004
【図３】
2012167469.tif 000005
【図４】
2012167469.tif 000006
【図５】
2012167469.tif 000007
【図６】
2012167469.tif 000008